(57)【要約】【課題】  印字ヘッドに対しプラテンが移動する構成であっても、記録用紙の裏面側を容易に検出できる。【解決手段】  本体ケース１におけるプリンタユニット１３の近傍に取り付けられて記録用紙２を収納する用紙ホルダ３に、ホルダカバー２５を開閉可能に取り付け、このホルダカバー２５に、印字ヘッド１９に対向するプラテンローラ１７と、このプラテンローラ１７の近傍に位置して記録用紙２を検出する第１光センサ３７とを設けた。従って、ホルダカバー２５の開閉動作に伴ってプラテンローラ１７が移動しても、このプラテンローラ１７と共に第１光センサ３７も移動するので、プラテンローラ１７の移動範囲内である記録用紙２の裏面側に第１光センサ３７を配置することができる。これにより、印字ヘッド１９に対しプラテンローラ１７が移動する構成であっても、第１光センサ３７で記録用紙２の裏面のマーク部を容易に且つ確実に検出することができる。【選択図】        図８
2005205733.tif 000002
【特許請求の範囲】
【請求項１】
少なくとも印字ヘッドを有するプリンタ部が設けられた本体ケースと、この本体ケースにおける前記プリンタ部の近傍に取り付けられて記録用紙を収納する用紙ホルダとを備えたプリンタ装置において、
前記用紙ホルダにはホルダカバーが開閉可能に取り付けられ、このホルダカバーには、このホルダカバーが前記用紙ホルダを塞いだときに前記印字ヘッドに対向するプラテンと、このプラテンの近傍に位置して前記記録用紙を検出する用紙センサとが設けられていることを特徴とするプリンタ装置。
【請求項２】
前記本体ケースには、回路基板とこの回路基板に電気的に接続された接続端子部とが設けられ、前記ホルダカバーには、前記用紙センサに電気的に接続され、且つ前記ホルダカバーが前記用紙ホルダを塞いで前記プラテンが前記印字ヘッドに対向したときに前記接続端子部に接触して導通する接点端子が設けられていることを特徴とする請求項１に記載のプリンタ装置。
【請求項３】
前記ホルダカバーには、前記用紙センサと前記接点端子とを搭載してその両者を電気的に接続するセンサ基板が設けられていることを特徴とする請求項２に記載のプリンタ装置。
【請求項４】
前記接続端子部は、前記センサ基板の前記接点端子が接離可能に接触する複数の接触ピンと、この複数の接触ピンを出没可能に保持する保持部材と、前記複数の接触ピンを前記保持部材から外部に突出させる方向に付勢する付勢部材とを備え、前記複数の接触ピンが前記回路基板に電気的に接続されていることを特徴とする請求項２または３に記載のプリンタ装置。
【請求項５】
前記用紙ホルダは、ロール状の記録用紙と単票の記録用紙とのいずれか一方を収納することを特徴とする請求項１〜４のいずれかに記載のプリンタ装置。
【発明の詳細な説明】
【技術分野】
【０００１】
この発明は、携帯情報端末機などの携帯型電子機器に用いられるプリンタ装置に関する。
【背景技術】
【０００２】
従来、携帯情報端末機においては、片手で持てる程度の大きさの本体ケースを備え、この本体ケース内にプリンタ部が設けられていると共に、このプリンタ部の近傍にロール状に巻かれた記録用紙を収納する用紙ホルダが設けられ、本体ケースを片手で持って他方の手で操作できるようにしたものがある。
【０００３】
このような携帯情報端末機では、用紙ホルダに収納されたロール状の記録用紙を一対の搬送ローラによってプリンタ部の印字ヘッドとプラテンとの間に送り込み、この送り込まれた記録用紙にプリンタ部の印字ヘッドで情報を印字し、この印字された記録用紙を本体ケースの外部に送り出すようになっている。
【０００４】
この場合、用紙ホルダには、プリンタ部と用紙ホルダとの間を仕切るフレームが回動可能に取り付けられている。このフレームは、記録用紙を交換するときに回動させてプリンタ部と用紙ホルダとの間から離脱することにより、プリンタ部と用紙ホルダとの間を開放し、印字するときに回動させてプリンタ部と用紙ホルダとの間に配置されることにより、プリンタ部の印字ヘッドに対向する部分がプラテンとしての機能するように構成されている。
【０００５】
また、このフレームには、一対の搬送ローラのうちの一方である従動用の搬送ローラが取り付けられている。この従動用の搬送ローラは、フレームがプリンタ部と用紙ホルダとの間に配置されて、フレームのプラテン部分がプリンタ部の印字ヘッドに対向したときに、本体ケースに設けられた駆動用の搬送ローラに記録用紙を介して圧接するように構成されている。従って、この従動用の搬送ローラは、駆動用の搬送ローラが回転すると、これに伴って回転するので、記録用紙をプリンタ部の印字ヘッドとフレームのプラテン部分との間に送り込むことができる。
【特許文献１】特開２００２−１９３４９９号公報
【発明の開示】
【発明が解決しようとする課題】
【０００６】
ところで、このような従来の携帯情報端末機においては、記録用紙の裏面つまり印字ヘッドと反対側に位置する面に、用紙の頭だしをするための位置合わせマークや、用紙の残量を表わすマークなどのマーク部が設けられ、この記録用紙のマーク部を用紙センサで検出する必要がある。
【０００７】
このため、この携帯情報端末機では、記録用紙の裏面側に用紙センサを配置する必要があるが、プラテン部分を有するフレームが用紙ホルダに回動可能に取り付けられているため、このフレームおよびこれに取り付けられた従動用の搬送ローラがフレームの開閉動作に伴って回動移動する領域内、つまり記録用紙の裏面側に位置する領域に用紙センサを配置することが難しく、記録用紙の頭だしや、記録用紙の残量などを表わすマーク部を検出することができないという問題がある。
【０００８】
この発明が解決しようとする課題は、印字ヘッドに対しプラテンが移動する構成であっても、記録用紙の裏面側を容易に検出できるプリンタ装置を提供することである。
【課題を解決するための手段】
【０００９】
この発明は、上記課題を解決するために、次のような構成要素を備えている。
なお、各構成要素には、後述する実施形態の項で説明される各要素に付されている図面の参照番号などを括弧と共に付す。
【００１０】
請求項１に記載の発明は、図１〜図１３に示すように、少なくとも印字ヘッド（１９）を有するプリンタ部（プリンタユニット１３）が設けられた本体ケース（１）と、この本体ケースにおける前記プリンタ部の近傍に取り付けられて記録用紙（２）を収納する用紙ホルダ（３、５５）とを備えたプリンタ装置において、前記用紙ホルダにはホルダカバー（２５、５７）が開閉可能に取り付けられ、このホルダカバーには、このホルダカバーが前記用紙ホルダを塞いだときに前記印字ヘッドに対向するプラテン（プラテンローラ１７）と、このプラテンの近傍に位置して前記記録用紙を検出する用紙センサ（第１光センサ３７）とが設けられていることを特徴とするプリンタ装置である。
【００１１】
請求項２に記載の発明は、図１〜図１３に示すように、前記本体ケース（１）には、回路基板（１４）とこの回路基板に電気的に接続された接続端子部（３９）とが設けられ、前記ホルダカバー（２５、５７）には、前記用紙センサ（第１光センサ３７）に電気的に接続され、且つ前記ホルダカバーが前記用紙ホルダ（３、５５）を塞いで前記プラテン（プラテンローラ１７）が前記印字ヘッド（１９）に対向したときに前記接続端子部に接触して導通する接点端子（接続電極３８）が設けられていることを特徴とする請求項１に記載のプリンタ装置である。
【００１２】
請求項３に記載の発明は、図１〜図１３に示すように、前記ホルダカバー（２５、５７）には前記用紙センサ（第１光センサ３７）と前記接点端子（接続電極３８）とを搭載してその両者を電気的に接続するセンサ基板（３６）が設けられていることを特徴とする請求項２に記載のプリンタ装置である。
【００１３】
請求項４に記載の発明は、図１〜図１３に示すように、前記接続端子部（３９）が、前記センサ基板（３６）の前記接点端子（接続電極３８）と接離可能に接触する複数の接触ピン（３９ｂ）と、この複数の接触ピンを出没可能に保持する保持部材（３９ａ）と、前記複数の接触ピンを前記保持部材から外部に突出させる方向に付勢する付勢部材（コイルばね３９ｃ）とを備え、前記複数の接触ピンが前記回路基板（１４）に電気的に接続されていることを特徴とする請求項２または３に記載のプリンタ装置である。
【００１４】
請求項５に記載の発明は、図１〜図１３に示すように、前記用紙ホルダ（３、５５）が、ロール状の記録用紙（２）と単票の記録用紙とのいずれか一方を収納することを特徴とする請求項１〜４のいずれかに記載のプリンタ装置である。
【発明の効果】
【００１５】
請求項１に記載の発明によれば、本体ケースにおけるプリンタ部の近傍に取り付けられて記録用紙を収納する用紙ホルダに、ホルダカバーを開閉可能に取り付け、このホルダカバーに、これが用紙ホルダを塞いだときに印字ヘッドに対向するプラテンと、このプラテンの近傍に位置して記録用紙を検出する用紙センサとを設けたので、ホルダカバーの開閉動作に伴ってプラテンが移動しても、このプラテンと共に用紙センサも移動するため、プラテンの移動範囲内に用紙センサを配置することができる。このため、プラテンの移動範囲内である記録用紙の裏面側に用紙センサを配置することができ、これにより印字ヘッドに対しプラテンが移動する構成であっても、用紙センサで記録用紙の裏面側、つまり記録用紙の裏面に設けられた用紙の頭だしや用紙の残量などを表わすマーク部を容易に且つ確実に検出することができる。
【００１６】
請求項２に記載の発明によれば、ホルダカバーが用紙ホルダを塞いでプラテンが印字ヘッドに対向したときに、ホルダカバーに設けられて用紙センサと電気的に接続された接点端子が、本体ケースの回路基板と電気的に接続された接続端子部に接触して導通するので、用紙ホルダに対して開閉するホルダカバーに用紙センサを設けても、接続配線を複雑に引き回す必要がなく、ホルダカバーの用紙センサと本体ケースの回路基板とを簡単に且つ確実に接続することができる。
【００１７】
請求項３に記載の発明によれば、用紙センサと接点端子とをセンサ基板に電気的に接続した状態で搭載しているので、このセンサ基板をホルダカバーに取り付けるだけで良く、このため用紙センサと接点端子とを別々にホルダカバーに取り付けて、その両者を接続線などで接続する必要がないので、組み立て作業が簡単で容易にでき、これにより生産性の高いものを得ることができる。
【００１８】
請求項４に記載の発明によれば、接続端子部が、センサ基板の接点端子と接離可能に接触する複数の接触ピンと、この複数の接触ピンを出没可能に保持する保持部材と、複数の接触ピンを保持部材から外部に突出させる方向に付勢する付勢部材とを備え、複数の接触ピンが回路基板に電気的に接続されていることにより、用紙ホルダに対して開閉するホルダカバーに接点端子が設けられていても、この接点端子が複数の接触ピンに接触するときに、複数の接触ピンが付勢部材の付勢力に抗して保持部材内に没入する方向に移動することにより、複数の接触ピンに接点端子を弾接させることができ、これにより複数の接触ピンと接点端子とを確実に導通させて電気的に接続することができる。
【００１９】
請求項５に記載の発明によれば、用紙ホルダがロール状の記録用紙と単票の記録用紙とのいずれか一方を収納する構成であることにより、用途に応じてロール状の記録用紙と単票の記録用紙とのいずれかを選択して使用することができ、これにより汎用性が広く、使い勝手の良いものを得ることができる。
【発明を実施するための最良の形態】
【００２０】
以下、図１〜図１１を参照して、この発明のプリンタ装置を携帯情報端末機に適用した一実施形態について説明する。
図１はこの発明の携帯情報端末機を上方から見た斜視図、図２はその携帯情報端末機の印字時における斜視図、図３は図１の携帯情報端末機の内部構造を示した斜視図である。
この携帯情報端末機は、図１および図２に示すように、本体ケース１を備えている。この本体ケース１は、片手で持てる程度の大きさで、その左右両側の中間部分がくびれた形状に形成されており、この本体ケース１の上辺側の端部には、ロール状に巻かれた記録用紙２を収納する用紙ホルダ３が取り付けられている。
【００２１】
この本体ケース１の上面における中央部には、図１および図２に示すように、表示用の開口部４が設けられており、この本体ケース１の上面における下部側には、文字キー、数字キーなどの各種のキーが配列されたキー入力部５が設けられている。また、この本体ケース１の上面における上部側には、スピーカ部６、押釦スイッチ７、および表示ランプ８が設けられており、この本体ケース１の側面には、図１および図２に示すように、外部接続用の複数のコネクタ部９および各種の押釦スイッチ１０が設けられている。
【００２２】
一方、この本体ケース１内には、図３に示すように、モジュールが配置されている。このモジュールは中ケース１１を備えており、この中ケース１１の中央部には入力表示部１２が表示用の開口部４に対応して設けられている。この入力表示部１２は、表示パネルの上面に透明なタッチパネルを重ね合わせてなり、本体ケース１の表示用の開口部４を通して入力ペンや指先などでタッチパネルを入力操作することにより、情報が入力されると共に、この透明なタッチパネルを通して表示パネルに表示された情報を本体ケース１の外部から見えるように構成されている。
【００２３】
また、この中ケース１１の一端部側（図３では右端部側）には、プリンタユニット１３が設けられており、この中ケース１１の下面には、回路基板１４が設けられている。この回路基板１４の下側には、通信用カード（図示せず）が挿脱可能に挿入するカードホルダ１５が本体ケース１の長手方向に沿って設けられている。この場合、プリンタユニット１３とカードホルダ１５とは、図５に示すように、その各端部が本体ケース１の一端側（図５では右端側）に開放されている。
【００２４】
プリンタユニット１３は、図３および図４に示すように、ユニット本体１６を備えている。このユニット本体１６には、後述するプラテンローラ１７が挿脱可能に挿入すると共に記録用紙２をガイドするためのガイド凹部１８が上面および端面に開放されて設けられている。このガイド凹部１８に対応する個所のユニット本体１６の内部には、印字ヘッド１９が設けられている。この印字ヘッド１９は、フレキシブルな配線基板２０によって回路基板１４に電気的に接続され、印字データに応じて発熱駆動されることにより、記録用紙２に情報を印字するように構成されている。
【００２５】
また、このユニット本体１６におけるガイド凹部１８の両側には、図３および図４に示すように、プラテンローラ１７をガイド凹部１８内の所定位置、つまりプラテンローラ１７が印字ヘッド１９に対向する位置にガイドするためのガイド部２１が設けられている。そして、このユニット本体１６は、金属製の補強板２２上に取り付けられ、この補強板２２が中ケース１１にビス２３で取り付けられている。これにより、ユニット本体１６は、ガイド凹部１８が本体ケース１の端部に設けられたプリンタ開放部２４から外部に開放された状態で本体ケース１内に配置されている。
【００２６】
カードホルダ１５は、図５に示すように、本体ケース１の端部側（図５では右端部側）から通信用カードが差し込まれ、その奥部に設けられたカードコネクタ（図示せず）に通信用カードが電気的に接続され、これにより外部機器との間でデータを送受信するように構成されている。この場合、カードコネクタは、通信用カードの長さに応じて予めアダプタなどで設置個所が設定されるように構成されている。また、通信用カードは、カードホルダ１１に差し込まれた状態で、本体ケース１の端部から通信部分が外部に突出し、この突出した通信部分が用紙ホルダ３の下側に配置されるように構成されている。
【００２７】
一方、用紙ホルダ３は、図６〜図９に示すように、本体ケース１の一端部（図６では右上側の端部）に固定ビス（図示せず）によって取り付けられている。この用紙ホルダ３の上部には、ホルダカバー２５が開閉可能に取り付けられており、用紙ホルダ３の下部には、カード蓋２６が開閉可能に取り付けられている。また、この用紙ホルダ３の外側部には、ホルダカバー２５を閉じた状態のときにロックするロック部材２７が前後方向（図８では左右方向）にスライド可能に取り付けられている。
【００２８】
ホルダカバー２５は、図８に示すように、上方に向けて凸となる半円筒状に形成され、その後端部（図８では右端部）にホルダアーム２８が設けられ、このホルダアーム２８が用紙ホルダ３の後端下部（図８では右端下部）に設けられたヒンジ軸２９に回動可能に取り付けられ、これによりヒンジ軸２９を中心に上下方向に回動して用紙ホルダ３を開閉するように構成されている。また、カード蓋２６は、その後端上部（図８では右端面上部）がホルダカバー２５の回動中心であるヒンジ軸２９に回動可能に取り付けられ、これによりカード通信用カードの突出した通信部分を開閉可能に覆うように構成されている。
【００２９】
この場合、ホルダカバー２５の前部（図６では右端部）における外側部には、図６に示すように、ロック部材２７によって係脱可能に係止される係合突起３０が形成されており、このホルダカバー２５の前部には、図２および図６に示すように、本体ケース１のプリンタ開放部２４を開閉可能に塞ぐ鍔部３１が形成されている。この鍔部３１には、図２および図７に示すように、プリンタユニット１３で印字された記録用紙２を本体ケース１の上方に排出する用紙排出口３２が設けられていると共に、この鍔部３１の下面には、プラテンローラ１７が回転自在に取り付けられている。
【００３０】
このプラテンローラ１７は、図７に示すように、その回転軸３３がホルダカバー２５の鍔部３１に形成された支持部３４に回転自在に支持され、ホルダカバー２５を回動させて用紙ホルダ３の上側を覆って閉じたときに、プリンタ開放部２４から本体ケース１内に挿入すると共に、回転軸３３がプリンタユニット１３のガイド部２１によってガイドされ、これによりプリンタユニット１３の印字ヘッド１９に接近して対向するように構成されている。この場合、プラテンローラ１７は、図７に示すように、回転軸３３の端部に従動歯車３５が設けられ、この従動歯車３５が本体ケース１内に設けられた駆動歯車（図示せず）に噛み合って回転することにより、この従動歯車３５と共に回転して記録用紙２を印字ヘッド１９に押し付けながら搬送するように構成されている。
【００３１】
また、ホルダカバー２５の鍔部３１の下面には、センサ基板３６がプラテンローラ１７に沿って設けられている。このセンサ基板３６の下面には、記録用紙２の裏面つまり印字ヘッド１９と反対側に位置する面に設けられたマーク部（図示せず）を検出する第１光センサ３７が設けられていると共に、この第１光センサ３７が配線パターンによって電気的に接続された接続電極３８が設けられている。
【００３２】
第１光センサ３７は、発光素子と受光素子とを備え、発光素子で発光した光を記録用紙２の裏面に照射し、その反射光を受光素子で受光することにより、記録用紙２の裏面に設けられたマーク部を検出するように構成されている。このマーク部は、用紙の頭だしをするための位置合わせマークや、用紙の残量を表わすマークなどであり、印刷などによって記録用紙２の裏面に設けられている。接続電極３８は、ホルダカバー２５を回動させて用紙ホルダ３を覆って閉じたときに、本体ケース１のプリンタ開放部２４から本体ケース１内に挿入して、本体ケース１内に配置された接続端子部３９に接触して導通するように構成されている。
【００３３】
この接続端子部３９は、図１０（ａ）および図１０（ｂ）に示すように、本体ケース１内の回路基板１４上に設けられた保持部材３９ａに複数の接触ピン３９ｂがコイルばね３９ｃによって上方に付勢された状態で取り付けられ、これら各接触ピン３９ｂにホルダカバー２５側の接続電極３８が接触して上方から押し付けられると、図１０（ｂ）に示すように、各接触ピン３９ｂがコイルばね３９ｃのばね力に抗して押し下げられ、これにより各接触ピン３９ｂに接続電極３８が弾接して導通するように構成されている。この場合、各接触ピン３９ｂは、それぞれコイルばね３９ｃによって回路基板１４に電気的に接続されている。
【００３４】
ところで、第１光センサ３７の下方に位置する本体ケース１内には、図８に示すように、記録用紙２の有無を検出するための第２光センサ４０が配置されている。この第２光センサ４０は、図３、図４および図８に示すように、ユニット本体１６の光透過孔１６ａに対応した状態で、本体ケース１内の回路基板１４上に設けられている。この第２光センサ４０も、第１光センサ３７と同様、発光素子と受光素子とからなり、発光素子で発光した光をユニット本体１６の光透過孔１６ａを通して記録用紙２の表面つまり印字ヘッド１９側に位置する面に照射させ、その反射光を受光素子で受光することにより、記録用紙２の有無を検出するように構成されている。
【００３５】
さらに、ホルダカバー２５には、図１および図２に示すように、用紙排出口３２を開閉可能に塞ぐ防滴カバー４１がカバーアーム４２を介して回動可能に取り付けられている。すなわち、この防滴カバー４１は、図７に示すように、カバーアーム４２がホルダカバー２５の両側面に設けられた支持軸４３に回転自在に取り付けられ、この支持軸４３を中心にホルダカバー２５の半円筒状の上面に沿って回動移動するように構成されている。また、この防滴カバー４１の下面には、図７に示すように、用紙排出口３２を密閉するクッション部材４４が設けられている。
【００３６】
この場合、防滴カバー４１の両側部には、図２および図７に示すように、本体ケース１の両側面に対応する摘み部４５が設けられており、この摘み部４５には、本体ケース１の両側面における上部に設けられた係合凹部４６に係脱可能に係止される係止突起４７が設けられている。これにより、防滴カバー４１は、支持軸４３を中心に回動して用紙排出口３２を覆うと、摘み部４５の係止突起４７が本体ケース１の係合凹部４６に係止され、これによりクッション部材４４を圧縮させて用紙排出口３２を密閉するように構成されている。また、用紙排出口３２には、印字された記録用紙２を切断するためのカッター４８が設けられている。
【００３７】
なお、プリンタユニット１３の補強板２２は、本体ケース１内の回路基板１４のグランドに電気的に接続されている。すなわち、この補強板２２は、金属板からなり、静電気が帯電するため、この静電気を回路基板１４のグランドに落す必要がある。この場合、補強板２２は、その全表面が防錆び処理などによって絶縁されているが、図１１に示すように、補強板２２を中ケース１１に取り付けるための固定ビス２３が螺着するねじ孔２２ａでは素材がむき出しなっている。このため、この補強板２２は、中ケース１１に取り付けるための固定ビス２３をねじ孔２２ａに螺着し、この螺着した固定ビス２３を回路基板１４に設けられたばね接点部材４９に接触させるとにより、回路基板１４のグランドと電気的に接続されている。
【００３８】
次に、このような携帯情報端末機を使用する場合につて説明する。
この場合には、予め、用紙ホルダ３内にロール状の記録用紙２を収納する。このときには、図６に示すように、用紙ホルダ３のヒンジ軸２８を中心にホルダカバー２５を上方に回動させて開き、用紙ホルダ３上にロール状の記録用紙２を配置し、この記録用紙２の先端を本体ケース１のプリンタユニット１３のガイド凹部１８内に送り込む。この状態で、ホルダカバー２５を閉じると、ホルダカバー２５の鍔部３１に取り付けられたプラテンローラ１７が本体ケース１のプリンタ開放部２４からプリンタユニット１３のガイド凹部１８内に挿入し、ホルダカバー２５の鍔部３１がプリンタ開放部２４を塞ぐ。
【００３９】
このときには、プラテンローラ１７の回転軸３３がプリンタユニット１３のガイド部２１によってガイドされ、これによりプラテンローラ１７がプリンタユニット１３の印字ヘッド１９に接近して対向すると共に、回転軸３３の端部に設けられた従動歯車３５が本体ケース１内に設けられた駆動歯車（図示せず）に噛み合う。また、このときには、第１光センサ３７が記録用紙２の裏面に接近して配置されると共に、センサ基板３６の接続電極３８が本体ケース１内の接続端子部３９に接触して導通し、これにより第１光センサ３７と回路基板１４とが電気的に接続される。
【００４０】
すなわち、センサ基板３６の接続電極３８が本体ケース１内の接続端子部３９に接触するときには、接続端子部３９の複数の接触ピン３９ｂがコイルばね３９ｃのばね力に抗して接点電極３８によって押し下げられ、これにより接触ピン３９ｂと接続電極３８とが弾接して導通する。これにより、プリンタユニット１３の印字ヘッド１９で記録用紙２に印字することが可能な状態になる。この状態で、ロック部材２７をスライドさせてホルダカバー２５の係合突起３０を係止させると、ホルダカバー２５が勝手に開かないようにロックされる。
【００４１】
一方、本体ケース１内のカードホルダ１５には、通信用カード（図示せず）を差し込んで収納する。このときには、図７に示すように、用紙ホルダ３のヒンジ軸２８を中心にカード蓋２６を下方に回動させて開き、この状態で通信用カードを図５に示すカードホルダ１５に差し込み、この差し込まれた通信用カードをカードホルダ１５内のカードコネクタ（図示せず）に接続する。この状態では、通信用カードの通信部分が本体ケース１から突出し、この突出した通信部分が用紙ホルダ３の下側に配置される。この状態で、カード蓋２６を回動させて閉じると、カード蓋２６によって通信用カードの通信部分が覆われて用紙ホルダ３の下部側が塞がれる。この状態で、ビス（図示せず）によってカード蓋２６を用紙ホルダ３に固定する。
【００４２】
そして、この携帯情報端末機で記録用紙２に情報を印字する場合には、まず、防滴カバー４１の両側部に設けられた摘み部４４の係止突起４７を本体ケース１の係合凹部４６から離脱させ、図２に示すように、ホルダカバー２５の支持軸４３を中心に防滴カバー４１を上方に回動させて用紙排出口３２を開く。この状態で、入力表示部１２に表示された情報を見ながら、入力表示部１２およびキー入力部５を入力操作して情報を入力する。また、通信用カードで外部機器との間でデータを送受信して、必要なデータを取り込む。
【００４３】
この後、プリンタユニット１３で印字を開始するときには、ホルダカバー２５側に設けられた第１光センサ３７が記録用紙２の裏面に設けられたマーク部を検出する共に、プリンタユニット１３側に配置された第２光センサ４０が記録用紙２の有無を検出し、これら第１、第２光センサ３７、４０で検出された検出結果に基づいて本体ケース１内の駆動歯車（図示せず）を回転させ、この駆動歯車の回転に伴って従動歯車３５を回転させてプラテンローラ１７を回転させる。これにより、記録用紙２の頭だしが行われる。
【００４４】
この状態で、プリンタユニット１３の印字ヘッド１９が発熱駆動されると、この印字ヘッド１９によって記録用紙２に情報が印字されると共に、この印字ヘッド１９の印字速度に応じてプラテンローラ１７が回転し、記録用紙２を順次搬送する。これにより、必要な情報が印字ヘッド１９によって記録用紙２に順次印字されると共に、この印字された記録用紙２がプラテンローラ１７の回転に応じて搬送されて用紙排出口３２から本体ケース１の上方に順次排出される。
【００４５】
このように、この携帯情報端末機によれば、本体ケース１におけるプリンタユニット１３の近傍に取り付けられて記録用紙２を収納する用紙ホルダ３に、ホルダカバー２５を開閉可能に取り付け、このホルダカバー２５に、印字ヘッド１９に対向するプラテンローラ１７と、このプラテンローラ１７の近傍に位置して記録用紙２を検出する第１光センサ３７とを設けたので、ホルダカバー２５の開閉動作に伴ってプラテンローラ１７が移動しても、このプラテンローラ１７と共に第１光センサ３７も移動するため、プラテンローラ１７の移動範囲内に第１光センサ３７を配置することができる。
【００４６】
このため、プラテンローラ１７の移動範囲内である記録用紙２の裏面側に第１光センサ３７を配置することができるので、印字ヘッド１９に対しプラテンローラ１７が移動する構成であっても、第１光センサ３７で記録用紙２の裏面に設けられたマーク部を容易に且つ確実に検出することができ、これにより記録用紙２の頭だしを正確に行うことができると共に、記録用紙２の残量を正確に知ることができ、極めて使い勝手の良いものを得ることができる。
【００４７】
この場合、ホルダカバー２５が用紙ホルダ３を塞いで、プラテンローラ１７が印字ヘッド１９に対向したときに、ホルダカバー２５に設けられて第１光センサ３７と電気的に接続された接続電極３８が、本体ケース１内の回路基板１４と電気的に接続された接続端子部３９に接触して導通するので、用紙ホルダ３に対して開閉するホルダカバー２５に第１光センサ３７を設けても、接続配線を複雑に引き回す必要がなく、ホルダカバー２５の第１光センサ３７と本体ケース１内の回路基板１４とを簡単に且つ確実に接続することができる。
【００４８】
また、第１光センサ３７と接続電極３８とをセンサ基板３６に搭載して、その両者を電気的に接続しているので、このセンサ基板３６をホルダカバー２５に取り付けるだけで良く、このため第１光センサ３７と接続電極３８とを別々にホルダカバー２５に取り付けて、その両者を接続配線などで電気的に接続する必要がないので、組み立て作業が簡単で容易にでき、これにより生産性の高いものを得ることができる。
【００４９】
また、接続端子部３９は、センサ基板３６の接続電極３８が接離可能に接触する複数の接触ピン３９ｂと、この複数の接触ピン３９ｂを出没可能に保持する保持部材３９ａと、複数の接触ピン３９ｂを保持部材３９ａから外部に突出させる方向に付勢するコイルばね３９ｃとを備え、複数の接触ピン３９ｂがコイルばね３９ｃによって回路基板１４に電気的に接続されていることにより、用紙ホルダ３に対して開閉するホルダカバー２５に接続電極３８が設けられていても、この接続電極３８が複数の接触ピン３９ｂに接触するときに、複数の接触ピン３９ｂがコイルばね３９ｃの付勢力に抗して保持部材３９ａ内に没入する方向に移動することにより、複数の接触ピン３９ｂに接続電極３８を弾接させることができ、これにより複数の接触ピン３９ｂと接続電極３８とを確実に導通させて電気的に接続することができる。
【００５０】
さらに、このプリンタユニット１３は、ユニット本体１６が金属製の補強板２２を介して中ケース１１に固定ビス２３で固定されているので、金属製の補強板２２によって強度を確保することができる。この場合、補強板２２が金属製であるから、静電気が帯電することを考慮して、補強板２２に螺着した固定ビス２３を回路基板１４のグランドに接続されたばね接点部材４９に接触させることにより、金属製の補強板２２と回路基板１４のグランドとを電気的に接続しているので、補強板２２の静電気を回路基板１４のグランドに確実に落すことができる。
【００５１】
この場合、特に金属製の補強板２２はその全表面が防錆び処理などにより絶縁されていも、補強板２２を中ケース１１に取り付けるためのねじ孔２２ａは素材がむき出しになっているので、このねじ孔２２ａに固定ビス２３を螺着することにより、この固定ビス２３と補強板２２との導通を図ることができ、これにより補強板２２と回路基板１４とを確実に接続することができるので、静電気対策を良好に図ることができる。
【００５２】
なお、上記実施形態では、本体ケース１にロール状に巻かれた記録用紙２を収納する用紙ホルダ３を取り付けた場合について述べたが、これに限らず、例えば図１２および図１３に示す変形例のように、単票の記録用紙（図示せず）を収納する用紙ホルダ５５を本体ケース１に取り付けても良い。すなわち、この用紙ホルダ５５は、単票の記録用紙を載置する載置部５６を有し、この載置部５６を覆うホルダカバー５７が開閉可能に取り付けられ、このホルダカバー５７に上記実施形態と同様にプラテンローラ１７およびセンサ基板３６を設けた構成になっている。この場合にも、センサ基板３６には、第１光センサ３７および接続電極３８が設けられており、この接続電極３８が本体ケース１内の接続端子部３９に接触して導通することにより、第１光センサ３７と本体ケース１内の回路基板１４とを電気的に接続している。
【００５３】
このような携帯情報端末機においても、上記実施形態と同様、単票の記録用紙の裏面側に第１紙センサ３７を配置することができるので、印字ヘッド１９に対しプラテンローラ１７が移動する構成であっても、第１光センサ３７で記録用紙の裏面に設けられたマーク部を容易に且つ確実に検出することができ、これにより記録用紙の頭だしを正確に行うことができる。また、この携帯情報端末機でも、ホルダカバー５７に設けられて第１光センサ３７と電気的に接続された接続電極３８が、本体ケース１内の回路基板１４と電気的に接続された接続端子部３９に接触して導通するので、単票の記録用紙を収納する用紙ホルダ５５を本体ケース１に取り付けても、接続配線を複雑に引き回す必要がなく、ホルダカバー５７の第１光センサ３７と本体ケース１内の回路基板１４とを簡単に且つ確実に接続することができる。
【００５４】
このように、この携帯情報端末機によれば、ロール状の記録用紙２を収納する用紙ホルダ３と、単票の記録用紙を収納する用紙ホルダ５５とのいずれか一方を本体ケース１に取り付けることにより、用途に応じてロール状の記録用紙２と単票の記録用紙とのいずれかを選択して使用することができ、これにより汎用性が広く、使い勝手の良いものを得ることができる。
【００５５】
なおまた、上記実施形態およびその変形例では、プラテンローラ１７を印字ヘッド１９に接近して対向させた場合について述べたが、必ずしもプラテンローラ１７である必要はなく、例えば板状のプラテンを印字ヘッド１９に接近させて対向させるようにしても良い。この場合には、記録用紙２を搬送する一対の搬送ローラを別に設ければ良い。
さらに、上記実施形態およびその変形例では、携帯型電子機器として、携帯情報端末機に適用した場合について述べたが、これに限らず、携帯電話機、電子辞書、ＰＤＡ（パーソナル・デジタル・アシスタント）などの各種の電子機器に広く適用することができる。
【図面の簡単な説明】
【００５６】
【図１】この発明のプリンタ装置を適用した携帯情報端末機の斜視図である。
【図２】図１の携帯情報端末機で印字する状態を示した斜視図である。
【図３】図１の携帯情報端末機の内部構造を示した斜視図である。
【図４】図３のプリンタユニットを示した斜視図である。
【図５】図４のプリンタユニットを本体ケース１内に配置した状態の要部を示した斜視図である。
【図６】図１の携帯情報端末機において用紙ホルダのホルダカバーを開いた状態の要部を拡大して示した斜視図である。
【図７】図６の用紙ホルダを示した斜視図である。
【図８】図１の携帯情報端末機を右側から見て、その一部を破断した要部の拡大側面図である。
【図９】図１の携帯情報端末機を左側から見て、その一部を破断した要部の拡大側面図である。
【図１０】図９における接続端子部とセンサ基板の接続電極との接続構造を示し、（ａ）は接続端子部に接続電極が接触する前の状態を示した図、（ｂ）は接続端子部に接続電極が接触した状態を示した図である。
【図１１】図３のＡ部の拡大図である。
【図１２】この発明を適用した携帯情報端末機の変形例を示し、その一部を破断した要部の拡大側面図である。
【図１３】図１２の用紙ホルダを示した斜視図である。
【符号の説明】
【００５７】
１  本体ケース
２  記録用紙
３、５５  用紙ホルダ
１１  中ケース
１３  プリンタユニット
１４  回路基板
１６  プリンタ本体
１７  プラテンローラ
１８  ガイド凹部
１９  印字ヘッド
２４  プリンタ開放部
２５、５７  ホルダカバー
２８  ホルダアーム
２９  ヒンジ軸
３１  鍔部
３２  用紙排出口
３３  回転軸
３４  支持部
３５  従動歯車
３６  センサ基板
３７  第１光センサ
３８  接続電極
３９  接続端子部
３９ａ  保持部材
３９ｂ  接触ピン
３９ｃ  コイルばね
【図１】
2005205733.tif 000003
【図２】
2005205733.tif 000004
【図３】
2005205733.tif 000005
【図４】
2005205733.tif 000006
【図５】
2005205733.tif 000007
【図６】
2005205733.tif 000008
【図７】
2005205733.tif 000009
【図８】
2005205733.tif 000010
【図９】
2005205733.tif 000011
【図１０】
2005205733.tif 000012
【図１１】
2005205733.tif 000013
【図１２】
2005205733.tif 000014
【図１３】
2005205733.tif 000015